【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
偏波多重光を送受信する偏波多重光送受信器であって、
互いに直交する偏波成分を含む前記偏波多重光を送信する偏波多重光送信部と、
前記偏波多重光を受信する偏波多重光受信部と、
互いに独立に動作する送信側偏波状態制御部及び受信側偏波状態制御部とを備え、
前記送信側偏波状態制御部は、前記偏波多重光送信部が、両方の偏波成分の光信号の各々が独立の多値情報信号で変調され、多重化された偏波多重光を送信する偏波多重送信状態と、一方の偏波成分の光信号のみが多値情報信号で変調された単一偏波光を送信する単一偏波送信状態とのいずれかに、前記偏波多重光送信部を切り替え、
前記受信側偏波状態制御部は、前記偏波多重光受信部が、両方の偏波成分の光信号の各々が独立の多値情報信号で変調され、多重化された偏波多重光を受信する偏波多重受信状態と、一方の偏波成分の光信号のみが多値情報信号で変調された単一偏波光を受信する単一偏波受信状態とのいずれかに、前記偏波多重光受信部を切り替え、
前記偏波多重光受信部は、
送信側で直交する偏波成分を、受信した光信号から再生する偏波分離部と、
前記再生された偏波成分を前記偏波分離部から受信し、情報信号を再生及び抽出する複数の情報信号再生部と、
前記受信側偏波状態制御部の制御によって、前記複数の情報信号再生部が抽出した情報信号を選択して、該選択の結果を出力する情報信号結合部と、を含み、
前記偏波多重光受信部は、前記単一偏波受信状態において、前記偏波分離部及び前記情報信号再生部の少なくとも一部を省電力モードに移行することを特徴とする偏波多重光送受信器。
【請求項２】
請求項１に記載の偏波多重光送受信器であって、
前記偏波多重光受信部は、受信した光信号をアナログ電気信号に変換する受信フロントエンドと、前記アナログ電気信号をデジタル信号に変換するＡＤ変換器と、前記デジタル信号を多値復調して信号処理を施す受信側デジタル演算部とを含み、
前記受信側デジタル演算部は、前記偏波分離部と、前記情報信号再生部と、前記情報信号結合部とを含むことを特徴とする偏波多重光送受信器。
【請求項３】
請求項１に記載の偏波多重光送受信器であって、
前記情報信号再生部は、伝送路の線形・非線形劣化を補償する受信側伝送劣化補償部及び受信した光信号の誤りを訂正する誤り訂正部の少なくとも一つを含み、
前記受信側伝送劣化補償部及び前記誤り訂正部の各々は、前記受信側偏波状態制御部の制御によって省電力モードに移行することを特徴とする偏波多重光送受信器。
【請求項４】
請求項１に記載の偏波多重光送受信器であって、
前記偏波多重光受信部は、伝送路の線形・非線形劣化を補償する受信側伝送劣化補償部を含み、
前記偏波分離部に入力される最適化制御信号を、前記受信側伝送劣化補償部の後段の回路部から抽出することを特徴とする偏波多重光送受信器。
【請求項５】
請求項１に記載の偏波多重光送受信器であって、
前記偏波多重光送信部は、前記送信側偏波状態制御部の制御によって省電力モードに移行する送信側伝送劣化補償部を含むことを特徴とする偏波多重光送受信器。
【請求項６】
請求項３から５のいずれか一つに記載の偏波多重光送受信器であって、
送信側伝送劣化補償部及び受信側伝送劣化補償部の少なくとも一つは、光信号が伝送される光ファイバの波長分散及び非線形性の少なくとも一つを補償することを特徴とする偏波多重光送受信器。
【請求項７】
請求項１に記載の偏波多重光送受信器であって、
前記偏波多重光送信部は、前記単一偏波送信状態において、多値情報信号で変調されていない偏波成分の平均強度が、多値情報信号で変調された偏波成分の平均強度と同一となるように制御することを特徴とする偏波多重光送受信器。
【請求項８】
請求項１に記載の偏波多重光送受信器であって、
前記偏波多重光送信部は、前記単一偏波送信状態において、多値情報信号で変調されていない偏波成分の平均強度がゼロとなるように制御することを特徴とする偏波多重光送受信器。
【請求項９】
請求項１に記載の偏波多重光送受信器であって、
前記送信側偏波状態制御部及び前記受信側偏波状態制御部は、外部から入力される信号又は外部からの操作によって、それぞれ、制御を切り替えることを特徴とする偏波多重光送受信器。
【請求項１０】
請求項１に記載の偏波多重光送受信器であって、
前記抽出された情報信号の平均送信情報量を測定する送信情報量測定部を備え、
前記送信側偏波状態制御部は、第１の所定の閾値と、前記第１の所定の閾値と等しいか又は小さい第２の所定の閾値とを格納し、
前記送信側偏波状態制御部は、前記測定された平均送信情報量が前記第１の所定の閾値を越えた場合に偏波多重送信状態に切り替えるように制御し、前記第２の所定の閾値を下回った場合に単一偏波送信状態に切り替えるように制御することを特徴とする偏波多重光送受信器。
【請求項１１】
請求項１に記載の偏波多重光送受信器であって、
前記受信側偏波状態制御部は、前記受信する光信号の偏波多重状態、又は前記受信する光多値変調信号に含まれる偏波状態切替情報に基づいて、制御を切り替えることを特徴とする偏波多重光送受信器。
【請求項１２】
偏波多重光を送受信する２台の偏波多重光送受信器が対向して設けられる偏波多重光送受信システムであって、
前記各偏波多重光送受信器は、互いに直交する偏波成分を含む前記偏波多重光を送信する偏波多重光送信部と、前記偏波多重光を受信する偏波多重光受信部と、互いに独立に動作する送信側偏波状態制御部及び受信側偏波状態制御部とを含み、
前記送信側偏波状態制御部は、前記偏波多重光送信部が、両方の偏波成分の光信号の各々が独立の多値情報信号で変調され、多重化された偏波多重光を送信する偏波多重送信状態と、一方の偏波成分の光信号のみが多値情報信号で変調された単一偏波光を送信する単一偏波送信状態とのいずれかに、前記偏波多重光送信部を切り替え、
前記受信側偏波状態制御部は、前記偏波多重光受信部が、両方の偏波成分の光信号の各々が独立の多値情報信号で変調され、多重化された偏波多重光を受信する偏波多重受信状態と、一方の偏波成分の光信号のみが多値情報信号で変調された単一偏波光を受信する単一偏波受信状態とのいずれかに、対向する偏波多重光送受信器の偏波多重光送信部と連動して、前記偏波多重光受信部を切り替え、
前記偏波多重光受信部は、
送信側で直交する偏波成分を受信した光信号から再生する偏波分離部と、
前記再生された偏波成分を前記偏波分離部から受信し、情報信号を再生及び抽出する複数の情報信号再生部と、
前記受信側偏波状態制御部の制御によって、前記複数の情報信号再生部が抽出した情報信号を選択して、該選択の結果を出力する情報信号結合部と、を含み、
前記偏波多重光受信部は、前記単一偏波受信状態において、前記偏波分離部及び前記情報信号再生部の少なくとも一部を省電力モードに移行することを特徴とする偏波多重光送受信システム。
【請求項１３】
偏波多重光を送受信する偏波多重光送受信器における偏波状態切替方法であって、
前記偏波多重光送受信器は、互いに直交する偏波成分を含む前記偏波多重光を送信する偏波多重光送信部と、前記偏波多重光を受信する偏波多重光受信部と、互いに独立に動作する送信側偏波状態制御部及び受信側偏波状態制御部と含み、
前記偏波多重光受信部は、送信側で直交する偏波成分を受信した光信号から再生する偏波分離部と、前記再生された偏波成分を前記偏波分離部から受信し、情報信号を再生及び抽出する複数の情報信号再生部と、前記受信側偏波状態制御部の制御によって、前記複数の情報信号再生部が抽出した情報信号を選択して、該選択の結果を出力する情報信号結合部と、を含み、
前記方法は、
前記送信側偏波状態制御部が、前記偏波多重光送信部が、両方の偏波成分の光信号の各々が独立の多値情報信号で変調され、多重化された偏波多重光を送信する偏波多重送信状態と、一方の偏波成分の光信号のみが多値情報信号で変調された単一偏波光を送信する単一偏波送信状態とのいずれかに、前記偏波多重光送信部を切り替え、
前記受信側偏波状態制御部が、前記偏波多重光受信部が、両方の偏波成分の光信号の各々が独立の多値情報信号で変調され、多重化された偏波多重光を受信する偏波多重受信状態と、一方の偏波成分の光信号のみが多値情報信号で変調された単一偏波光を受信する単一偏波受信状態とのいずれかに、前記偏波多重光受信部を切り替え、
前記偏波多重光受信部が、前記単一偏波受信状態において、前記偏波分離部及び前記情報信号再生部の少なくとも一部を省電力モードに移行する偏波状態切替方法。